(57)【要約】【課題】  ユーザの不便さを少なくすることが可能なコンテンツ配信装置およびコンテンツ配信促進を提供する。【解決手段】  通信部２０ａがユーザ端末装置１ａからコンテンツ選択条件を受け付けると、受付制御部２０ｂは、その受け付けられたコンテンツ選択条件をユーザ情報データベース２１に格納する。入力部２０ｃが新たなコンテンツを受け付けると、判断部２０ｄは、その新たなコンテンツがユーザ情報データベース２１に格納されたコンテンツ選択条件に合致しているか否かを判定する。通信部２０ｅは、判断部２０ｄが、その新たなコンテンツがコンテンツ選択条件に合致していると判断すると、通信部２０ａを介して、ユーザ端末装置１ａに、コンテンツ選択条件に合致したコンテンツが入荷された旨を通知する。【選択図】      図１
2006301865.tif 000002
【特許請求の範囲】
【請求項１】
ユーザ端末装置と通信回線を介して接続し、前記ユーザ端末装置からコンテンツ要求を受け付けると、前記コンテンツ要求に応じたコンテンツを前記ユーザ端末装置に配信するコンテンツ配信装置であって、
前記ユーザ端末装置と前記通信回線を介して通信する通信部と、
前記通信部が、コンテンツを選択するためのコンテンツ選択条件を前記ユーザ端末装置から受け付けると、その受け付けられたコンテンツ選択条件を格納するユーザ情報データベースと、
コンテンツを受け付ける入力部と、
前記入力部がコンテンツを受け付けると、その受け付けられたコンテンツを格納するコンテンツデータベースと、
前記入力部がコンテンツを受け付けると、その受け付けられたコンテンツが、前記ユーザ情報データベースに格納されたコンテンツ選択条件に合致しているか否かを判定する判断部と、
前記判断部が、前記受け付けられたコンテンツが前記コンテンツ選択条件に合致していると判断すると、前記通信部を介して、前記ユーザ端末装置に、前記コンテンツ選択条件に合致したコンテンツが入荷された旨を通知する通知部と、を含むコンテンツ配信装置。
【請求項２】
請求項１に記載のコンテンツ配信装置において、
前記ユーザ端末装置のユーザに対応づけられ、前記受け付けられたコンテンツが前記コンテンツ選択条件に合致していると前記判断部が判断すると、該コンテンツを所定時間格納する一時格納部と、
前記通信部が前記入荷の通知が行われたコンテンツに対する試聴要求を前記ユーザ端末装置から受け付けたときに、該コンテンツが前記一時格納部に格納されている場合、該一時格納部に格納されているコンテンツの一部分を、前記通信部を介して、前記ユーザ端末装置に配信する配信制御部と、をさらに含むコンテンツ配信装置。
【請求項３】
請求項２に記載のコンテンツ配信装置において、
前記ユーザ端末装置のユーザに対応づけられ、前記通信部が前記一時格納部に格納されたコンテンツを購入する旨の購入要求を前記ユーザ端末装置から受け付けると、前記一時格納部に格納されていたコンテンツを格納するユーザ用格納部をさらに含み、
前記通信部は、前記通信回線を介して、前記ユーザ端末装置のユーザにて使用される端末装置と通信し、
前記配信制御部は、前記通信部が、前記ユーザ用格納部に格納されたコンテンツに対するコンテンツ要求を前記端末装置から受け付けると、前記ユーザ用格納部に格納されたコンテンツを前記通信部を介して前記端末装置に配信する、コンテンツ配信装置。
【請求項４】
請求項３に記載のコンテンツ配信装置において、
課金を行う課金部をさらに含み、
前記配信制御部は、前記通信部が前記購入要求を受け付けると、前記課金部に、前記購入要求を送信したユーザ端末装置のユーザに対する課金を行わせ、また、前記通信部が前記ユーザ用格納部に格納されたコンテンツに対するコンテンツ要求を受け付けた場合には、前記課金部が該コンテンツ要求に応じた課金を行うことを禁止する、コンテンツ配信装置。
【請求項５】
ユーザ端末装置と通信回線を介して接続し前記ユーザ端末装置からコンテンツ要求を受け付けると前記コンテンツ要求に応じたコンテンツを前記ユーザ端末装置に配信し、また、コンテンツを選択するためのコンテンツ選択条件を格納するためのユーザ情報データベースとコンテンツを格納するためのコンテンツデータベースとを含むコンテンツ配信装置が行うコンテンツ配信促進方法であって、
前記コンテンツ選択条件を前記ユーザ端末装置から受け付ける受付ステップと、
前記受け付けられたコンテンツ選択条件を前記ユーザ情報データベースに格納する選択条件格納ステップと、
コンテンツを受け付ける入力ステップと、
前記受け付けられたコンテンツを前記コンテンツデータベースに格納するコンテンツ格納ステップと、
前記受け付けられたコンテンツが、前記ユーザ情報データベースに格納されたコンテンツ選択条件に合致しているか否かを判定する判断ステップと、
前記受け付けられたコンテンツが前記コンテンツ選択条件に合致していると判断されると、前記ユーザ端末装置に、前記コンテンツ選択条件に合致したコンテンツが入荷された旨を通知する通知ステップと、を含むコンテンツ配信促進方法。
【請求項６】
請求項５に記載のコンテンツ配信促進方法において、
前記コンテンツ配信装置は、前記ユーザ端末装置のユーザに対応づけられた一時格納部をさらに含み、
前記受け付けられたコンテンツが前記コンテンツ選択条件に合致していると判断されると、該コンテンツを前記一時格納部に所定時間格納する一時格納ステップと、
前記入荷の通知が行われたコンテンツに対する試聴要求を前記ユーザ端末装置から受け付ける試聴要求受付ステップと、
前記試聴要求にて要求されたコンテンツが前記一時格納部に格納されている場合、該一時格納部に格納されているコンテンツの一部分を、前記ユーザ端末装置に配信する視聴用コンテンツ配信ステップと、をさらに含むコンテンツ配信促進方法。
【請求項７】
請求項６に記載のコンテンツ配信促進方法において、
前記コンテンツ配信装置は、前記ユーザ端末装置のユーザに対応づけられたユーザ用格納部をさらに含み、
前記一時格納部に格納されたコンテンツを購入する旨の購入要求を前記ユーザ端末装置から受け付ける購入要求受付ステップと、
前記購入要求にて要求されたコンテンツを前記ユーザ用格納部に格納するユーザ用コンテンツ格納ステップと、
前記ユーザ用格納部に格納されたコンテンツに対するコンテンツ要求を前記ユーザ端末装置のユーザにて使用される端末装置から受け付けるコンテンツ要求受付ステップと、
前記コンテンツ要求にて要求されたコンテンツを前記端末装置に配信するコンテンツ配信ステップと、をさらに含むコンテンツ配信促進方法。
【請求項８】
請求項７に記載のコンテンツ配信促進方法において、
前記コンテンツ配信装置は、課金を行う課金部をさらに含み、
前記購入要求が受け付けられると、前記課金部に、前記購入要求を送信したユーザ端末装置のユーザに対する課金を行わせ、また、前記ユーザ用格納部に格納されたコンテンツに対するコンテンツ要求を受け付けた場合には、前記課金部が該コンテンツ要求に応じた課金を行うことを禁止する課金制御ステップを、さらに含むコンテンツ配信促進方法。
【発明の詳細な説明】
【技術分野】
【０００１】
本発明は、コンテンツ配信装置およびコンテンツ配信促進方法に関し、特には、ユーザ端末装置からコンテンツ要求を受け付けると、そのコンテンツ要求に応じたコンテンツをユーザ端末装置に配信するコンテンツ配信装置およびコンテンツ配信促進方法に関する。
【背景技術】
【０００２】
従来、音楽などのコンテンツをユーザ端末装置に配信するコンテンツ配信サーバが知られている。
【０００３】
従来の音楽コンテンツ配信サーバは、例えば、以下のように動作する。
【０００４】
音楽コンテンツ配信サーバは、ユーザ端末装置から検索要求を受け付けると、そのときに音楽コンテンツ配信サーバが管理している音楽コンテンツの中から、その検索要求に応じた音楽コンテンツの試聴版を探し出し、その探し出された試聴版をユーザ端末装置に配信する。
【０００５】
ユーザは、その試聴版を試聴してから、その試聴された音楽コンテンツの正規版を購入するか否かを決定する。ユーザは、その音楽コンテンツの購入を決定すると、その音楽コンテンツを示す購入要求をユーザ端末装置から音楽コンテンツ配信サーバに送信する。
【０００６】
音楽コンテンツ配信サーバは、購入要求を受け付けると、その購入要求にて示された音楽コンテンツの正規版をユーザ端末装置に送信する（特許文献１（特開２００２−７７４２号公報）、特許文献２（特開２００３−２６３１７５号公報）参照）。
【０００７】
また、特許文献３（特開２００３−５８６４６号公報）には、定期的に発行される所定コンテンツ（例えば、電子新聞または電子雑誌）をユーザ端末装置に配信するコンテンツ提供サーバが記載されている。
【０００８】
特許文献３に記載のコンテンツ提供サーバは、定期的に発行される所定コンテンツの将来分の購入申込みをユーザ端末装置から受け付けると、その所定コンテンツが発行されるたびに、その所定のコンテンツをユーザ端末装置に配信する。
【特許文献１】特開２００２−７７４２号公報
【特許文献２】特開２００３−２６３１７５号公報
【特許文献２】特開２００３−５８６４６号公報
【発明の開示】
【発明が解決しようとする課題】
【０００９】
特許文献１および２に記載のコンテンツ配信システムでは、コンテンツ配信サーバは、検索要求をユーザ端末装置から受け付けると、そのときに自己が管理しているコンテンツの中から、その検索要求に応じたコンテンツの試聴版を探し出す。その後、そのコンテンツ配信サーバは、その探し出された試聴版をユーザ端末装置に配信する。
【００１０】
このため、コンテンツ配信サーバが、ユーザが希望するコンテンツをまだ管理していない場合、ユーザは、コンテンツ配信サーバがその希望されたコンテンツを管理するようになるまで、何度も、ユーザ端末装置からコンテンツ配信サーバへ検索要求を送信しなければならない。さらに言えば、ユーザは、いつからコンテンツ配信サーバがその希望されたコンテンツを管理するのか確認できない。このため、ユーザはユーザ端末装置から無駄な検索要求を送信する可能性がある。
【００１１】
したがって、特許文献１および２に記載のコンテンツ配信システムは、ユーザに不便さを与える。この不便さは、ユーザの指示によって実行されるコンテンツ要求の送信を抑制する可能性がある。
【００１２】
また、特許文献３に記載のコンテンツ提供サーバは、所定コンテンツの将来分の購入申込みを受け付け、その所定コンテンツが発行されるたびに、その所定コンテンツをユーザ端末装置に配信する。このため、その将来分の所定コンテンツの中に不要なコンテンツが含まれていても、ユーザは、その不要なコンテンツを購入しなければならない。
【００１３】
したがって、特許文献３に記載のコンテンツ提供サーバは、ユーザに不便さを与える。この不便さは、ユーザの指示によって実行されるコンテンツ要求の送信を抑制する可能性がある。
【００１４】
本発明の目的は、ユーザの不便さを少なくすることが可能なコンテンツ配信装置およびコンテンツ配信促進を提供することである。
【課題を解決するための手段】
【００１５】
上記の目的を達成するため、本発明のコンテンツ配信装置は、ユーザ端末装置と通信回線を介して接続し、前記ユーザ端末装置からコンテンツ要求を受け付けると、前記コンテンツ要求に応じたコンテンツを前記ユーザ端末装置に配信するコンテンツ配信装置であって、前記ユーザ端末装置と前記通信回線を介して通信する通信部と、前記通信部が、コンテンツを選択するためのコンテンツ選択条件を前記ユーザ端末装置から受け付けると、その受け付けられたコンテンツ選択条件を格納するユーザ情報データベースと、コンテンツを受け付ける入力部と、前記入力部がコンテンツを受け付けると、その受け付けられたコンテンツを格納するコンテンツデータベースと、前記入力部がコンテンツを受け付けると、その受け付けられたコンテンツが、前記ユーザ情報データベースに格納されたコンテンツ選択条件に合致しているか否かを判定する判断部と、前記判断部が、前記受け付けられたコンテンツが前記コンテンツ選択条件に合致していると判断すると、前記通信部を介して、前記ユーザ端末装置に、前記コンテンツ選択条件に合致したコンテンツが入荷された旨を通知する通知部とを含む。
【００１６】
また、本発明のコンテンツ配信促進方法は、ユーザ端末装置と通信回線を介して接続し前記ユーザ端末装置からコンテンツ要求を受け付けると前記コンテンツ要求に応じたコンテンツを前記ユーザ端末装置に配信し、また、コンテンツを選択するためのコンテンツ選択条件を格納するためのユーザ情報データベースとコンテンツを格納するためのコンテンツデータベースとを含むコンテンツ配信装置が行うコンテンツ配信促進方法であって、前記コンテンツ選択条件を前記ユーザ端末装置から受け付ける受付ステップと、前記受け付けられたコンテンツ選択条件を前記ユーザ情報データベースに格納する選択条件格納ステップと、コンテンツを受け付ける入力ステップと、前記受け付けられたコンテンツを前記コンテンツデータベースに格納するコンテンツ格納ステップと、前記受け付けられたコンテンツが、前記ユーザ情報データベースに格納されたコンテンツ選択条件に合致しているか否かを判定する判断ステップと、前記受け付けられたコンテンツが前記コンテンツ選択条件に合致していると判断されると、前記ユーザ端末装置に、前記コンテンツ選択条件に合致したコンテンツが入荷された旨を通知する通知ステップとを含む。
【００１７】
上記の発明では、新たに受け付けられたコンテンツがコンテンツ選択条件に合致していると、コンテンツ選択条件に合致したコンテンツが入荷された旨がユーザ端末装置に通知される。このため、ユーザは、従来のように、ユーザが希望するコンテンツが入荷されたか確認できない状況下で同じ内容の検索要求をユーザ端末装置から何度も送信する必要がなくなる。よって、ユーザの不便さを少なくすることが可能になり、その結果、ユーザからのコンテンツ要求を促進することが可能になる。
【００１８】
また、ユーザは、コンテンツ選択条件に合致したすべてのコンテンツを購入しなくても、コンテンツ選択条件に合致したコンテンツの入荷を確認することが可能になる。
【００１９】
なお、受け付けられたコンテンツがコンテンツ選択条件に合致していると、その受け付けられたコンテンツが、ユーザに対応づけられた一時格納部に所定の時間格納され、また、入荷の通知が行われたコンテンツに対する試聴要求がユーザ端末装置から受け付けられると、一時格納部に格納されたコンテンツの一部分が、ユーザ端末装置に配信されることが望ましい。
【００２０】
上記の発明によれば、ユーザは、ユーザ端末装置から検索要求を送信することなく、例えば、自己が好む可能性の高いコンテンツを試聴することが可能になる。このため、コンテンツの検索時間を短縮することが可能になる。また、入荷されたコンテンツは一定期間試聴可能となるため、ユーザは、コンテンツを試聴した後で、そのコンテンツを購入するか否かを判断することが可能になる。
【００２１】
また、一時格納部に格納されたコンテンツを購入する旨の購入要求がユーザ端末装置から受け付けられると、一時格納部に格納されていたコンテンツが、ユーザに対応づけられたユーザ用格納部に格納され、また、ユーザ用格納部に格納されたコンテンツに対するコンテンツ要求が、前記ユーザ端末装置のユーザにて使用される端末装置から受け付けると、ユーザ用格納部に格納されたコンテンツが、その端末装置に配信されることが望ましい。
【００２２】
上記の発明によれば、ユーザにて購入されたコンテンツは、コンテンツ配信装置のユーザ用格納部に格納される。
【００２３】
このため、ユーザにて使用される端末装置がコンテンツ配信装置と接続できれば、ユーザは、その端末装置を用いて、在宅時または外出時、車での移動時などいつでも、その購入されたコンテンツを視聴することが可能になる。換言すると、ユーザは、自らが購入したコンテンツをユーザが有する複数の端末装置で、手軽に再生することが可能になる。
【００２４】
また、ユーザにて購入されたコンテンツは、コンテンツ配信装置のユーザ用格納部に格納されるので、端末装置は、その購入されたコンテンツを保存しなくてもよい。このため、コンテンツの購入数が増加していく場合でも、ユーザは、端末装置の残りの保存領域を心配することなくコンテンツを購入することが可能となる。
【００２５】
また、前記購入要求が受け付けられると、前記購入要求を送信したユーザ端末装置のユーザに対して課金が行われ、また、前記ユーザ用格納部に格納されたコンテンツに対するコンテンツ要求が受け付けられた場合には、該コンテンツ要求に対する課金が禁止されることが望ましい。
【００２６】
上記の発明によれば、ユーザは、購入済みのコンテンツを、端末装置で何度も無料で受け取ることが可能になる。このため、ユーザは、一度コンテンツを購入すると、その後、料金を気にせずに、複数の端末装置で購入済みのコンテンツを再生することが可能になる。
【発明の効果】
【００２７】
本発明によれば、ユーザの不便さを少なくすることが可能になる。
【発明を実施するための最良の形態】
【００２８】
以下、本発明の実施例について図面を参照して詳細に説明する。
【００２９】
図１は、本発明の一実施例のコンテンツ配信装置を含むコンテンツ配信システムを示すブロック図である。
【００３０】
図１において、本コンテンツ配信システムは、ユーザ端末装置１ａおよび１ｂと、コンテンツ配信装置２とを含む。ユーザ端末装置１ａと、ユーザ端末装置１ｂと、コンテンツ配信装置２とは、インターネット等のネットワーク１００を介して接続する。
【００３１】
コンテンツ配信装置２は、音楽配信サーバ２０と、ユーザ情報データベース２１と、音楽コンテンツデータベース２２と、ユーザ用一時格納部２３と、ユーザ用格納部２４とを含む。
【００３２】
音楽配信サーバ２０は、通信部２０ａと、受付制御部２０ｂと、入力部２０ｃと、判断部２０ｄと、通知部２０ｅと、格納制御部２０ｆと、時計部２０ｇと、配信制御部２０ｈと、課金部２０ｉとを含む。
【００３３】
ユーザ端末装置１ａおよび１ｂは、同じユーザによって使用される。
【００３４】
また、ユーザ端末装置１ａおよび１ｂは、音楽配信サーバ２０に対して、コンテンツ要求（例えば、検索要求）を出力し、また、そのコンテンツ要求に応じて音楽配信サーバ２０から配信された音楽コンテンツを受け付ける。ユーザ端末装置１ａおよび１ｂは、その受け付けられた音楽コンテンツに基づいて音楽を再生する。
【００３５】
音楽配信サーバ２０は、既存技術のＷｅｂサーバ機能およびアプリケーションサーバ機能を備える。また、音楽配信サーバ２０は、ユーザ情報データベース２１と、音楽コンテンツデータベース２２と、ユーザ用一時格納部２３と、ユーザ用格納部２４と、ＳＡＮ（Storage Area Network）などの高速にデータのやりとりが行えるネットワークで接続されている。
【００３６】
通信部２０ａは、ネットワーク１００を介して、ユーザ端末装置１ａおよび１ｂと通信する。
【００３７】
ユーザ端末装置１ａまたは１ｂは、コンテンツを選択するためのコンテンツ選択条件を通信部２０ａに送信する。具体的には、ユーザ端末装置１ａまたは１ｂは、コンテンツ選択条件を含むユーザ情報を通信部２０ａに送信する。
【００３８】
なお、コンテンツ選択条件は、ユーザ端末装置１ａおよび１ｂのユーザが購入を希望するコンテンツを特定するための条件である。
【００３９】
図２は、コンテンツ選択条件の一例を示した説明図である。具体的には、図２は、ユーザ情報の一例を示した説明図である。
【００４０】
図２において、ユーザ情報３は、ユーザ識別情報３ａと、コンテンツ選択条件３ｂとを含み、ユーザ識別情報３ａとコンテンツ選択条件３ｂとは関連づけられている。ユーザ識別情報３ａは、ユーザＩＤ３ａ１と、ユーザパスワード３ａ２とを含む。コンテンツ選択条件３ｂは、ジャンル３ｂ１と、歌手名３ｂ２と、タイトル３ｂ３と、発売日３ｂ４とを含む。
【００４１】
なお、ユーザは、コンテンツ選択条件３ｂを適宜修正できる。
【００４２】
例えば、ユーザは、ユーザ情報３内のジャンル３ｂ１または歌手名３ｂ２を追加または修正したい場合は、ジャンル３ｂ１または歌手名３ｂ２を追加または修正したユーザ情報３を、ユーザ端末装置１ａまたは１ｂから通信部２０ａに送信する。
【００４３】
通信部２０ａは、ユーザ端末装置１ａまたは１ｂから、ユーザ情報３を受け付けると、その受け付けられたユーザ情報３を、ユーザ情報３を送信したユーザ端末装置１ａまたは１ｂのアドレスと関連づけて、受付制御部２０ｂに出力する。
【００４４】
受付制御部２０ｂは、通信部２０ａから、ユーザ情報３と、ユーザ端末装置１ａまたは１ｂのアドレスを受け付けると、その受け付けられたユーザ情報３およびユーザ端末装置１ａまたは１ｂのアドレスを互いに関連づけてユーザ情報データベース２１に格納する。
【００４５】
図３は、ユーザ情報データベース２１の一例を示した説明図である。
【００４６】
図３において、ユーザ情報データベース２１は、ユーザ情報３と、そのユーザ情報３を送信した端末装置のアドレス（ユーザアドレス）４とを、関連づけて格納する。
【００４７】
図１に戻って、入力部２０ｃは、新たな音楽コンテンツを受け付ける。なお、その新たな音楽コンテンツは、コンテンツ情報を含む。このコンテンツ情報は、その音楽コンテンツのジャンルと、その音楽コンテンツの歌手名と、その音楽コンテンツのタイトルと、その音楽コンテンツの発売日を示す。
【００４８】
入力部２０ｃは、例えば、新たな音楽コンテンツが記録された記録媒体（例えば、ＣＤまたはＤＶＤ）から、その新たな音楽コンテンツを読み取り、その読み取られた音楽コンテンツを受け付ける読取部である。入力部２０ｃは、新たな音楽コンテンツを受け付けると、その受け付けられた音楽コンテンツを受付制御部２０ｂに出力する。
【００４９】
なお、通信部２０ａが、コンテンツ供給源（不図示）から新たな音楽コンテンツを受け付けてもよい。この場合、通信部２０ａは入力部としても動作する。通信部２０ａは、新たな音楽コンテンツを受け付けると、その受け付けられた音楽コンテンツを受付制御部２０ｂに出力する。
【００５０】
受付制御部２０ｂは、入力部２０ｃまたは通信部２０ａから音楽コンテンツを受け付けると、その受け付けられた音楽コンテンツを音楽コンテンツデータベース２２に格納する。  図４は、音楽コンテンツデータベース２２の一例を示した説明図である。
【００５１】
また、受付制御部２０ｂは、その受け付けられた音楽コンテンツが有するコンテンツ情報を、判断部２０ｄに出力する。
【００５２】
判断部２０ｄは、受付制御部２０ｂからコンテンツ情報を受け付けると、その受け付けられたコンテンツ情報が、ユーザ情報データベース２１に格納されたコンテンツ選択条件に合致しているか否かを判断する。換言すると、判断部２０ｄは、入力部２０ｃまたは通信部２０ａにて受け付けられた音楽コンテンツが、ユーザ情報データベース２１に格納されたコンテンツ選択条件に合致しているか否かを判断する。
【００５３】
判断部２０ｄは、その受け付けられた音楽コンテンツ（コンテンツ情報）がコンテンツ選択条件に合致していると判断すると、そのコンテンツ選択条件と関連づけられたユーザ端末装置１ａまたは１ｂのアドレスを、ユーザ情報データベース２１から読み出す。判断部２０ｄは、その読み出されたユーザ端末装置１ａまたは１ｂのアドレスを、そのコンテンツ情報とともに通知部２０ｅに出力する。
【００５４】
また、判断部２０ｄは、その受け付けられた音楽コンテンツ（コンテンツ情報）がコンテンツ選択条件に合致していると判断すると、そのコンテンツ選択条件と関連づけられたユーザ識別情報を、ユーザ情報データベース２１から読み出し（図２、３参照）、さらに、そのコンテンツ情報を含む音楽コンテンツを、音楽コンテンツデータベース２２から読み出す。判断部２０ｄは、その読み出されたユーザ識別情報および音楽コンテンツを格納制御部２０ｆに出力する。
【００５５】
通知部２０ｅは、判断部２０ｄから、ユーザ端末装置１ａまたは１ｂのアドレスと、コンテンツ情報とを受け付けると、通信部２０ａを介して、その受け付けられたアドレスを有するユーザ端末装置に、コンテンツ選択条件に合致したコンテンツが入荷された旨を通知する。
【００５６】
例えば、通知部２０ｅは、ユーザ端末装置１ａまたは１ｂのアドレスと、コンテンツ情報とを受け付けると、そのコンテンツ情報と、そのコンテンツ情報を含むコンテンツの入荷通知と、そのコンテンツ選択条件とを示すコンテンツ入荷通知を生成する。通知部２０ｅは、その生成されたコンテンツ入荷通知を、その受け付けられたアドレスを有するユーザ端末装置に送信する。
【００５７】
なお、本実施例では、通知部２０ｅは、さらに、そのコンテンツの試聴期間（例えば、１週間）を示すコンテンツ入荷通知を生成し、その生成されたコンテンツ入荷通知を、その受け付けられたアドレスを有するユーザ端末装置に送信する。
【００５８】
時計部２０ｇは、現在日時を示す。
【００５９】
格納制御部２０ｆは、判断部２０ｄからユーザ識別情報および音楽コンテンツを受け付けると、時計部２０ｇから受付日時を取得する。格納制御部２０ｆは、その取得された受付日時とその受け付けられたユーザ識別情報および音楽コンテンツとを関連づけて、ユーザ用一時格納部２３に格納する。
【００６０】
図５は、ユーザ用一時格納部２３の一例を示した説明図である。
【００６１】
図５において、ユーザ用一時格納部２３は、受付日時２３ａと、ユーザ識別情報２３ｂと、音楽コンテンツ２３ｃとを関連づけて格納する。
【００６２】
なお、ユーザ用一時格納部２３の中で、ユーザ識別情報と受付日時と音楽コンテンツとが関連づけられて格納された部分は、そのユーザ識別情報にて識別されるユーザに対応づけられる。
【００６３】
図１に戻って、格納制御部２０ｆは、時計部２０ｇにて示された現在日時と、ユーザ用一時格納部２３に格納された受付日時とを比較し、その受付日時と関連づけて格納されている音楽コンテンツの試聴期間（例えば、１週間）が終えたか否かを判断する。
【００６４】
格納制御部２０ｆは、その音楽コンテンツの試聴期間が終わっていたら、その音楽コンテンツと、その音楽コンテンツと関連づけられていたユーザ識別情報および受付日時とをユーザ用一時格納部２３から削除する。
【００６５】
通信部２０ａは、ユーザ端末装置１ａまたは１ｂから、入荷の通知が行われた音楽コンテンツに対する試聴要求とユーザ識別情報とを受け付けると、その試聴要求とそのユーザ識別情報とを配信制御部２０ｈに出力する。
【００６６】
配信制御部２０ｈは、試聴要求およびユーザ識別情報を受け付けると、そのユーザ識別情報がユーザ情報データベース２１に格納されているか否かを判断する。
【００６７】
配信制御部２０ｈは、そのユーザ識別情報がユーザ情報データベース２１に格納されていると、その試聴要求にて要求された音楽コンテンツの一部分をユーザ用一時格納部２３から読み出す。配信制御部２０ｈは、その読み出された音楽コンテンツの一部分を、試聴版として、通信部２０ａを介して、その試聴要求を送信したユーザ端末装置に配信する。
【００６８】
なお、試聴要求にて要求された音楽コンテンツの試聴期間が終わり、その音楽コンテンツがユーザ用一時格納部２３から削除されている場合、配信制御部２０ｈは、例えば、その試聴要求を送信したユーザ端末装置に、そのコンテンツの試聴期間が終了した旨の通知を行う。
【００６９】
また、通信部２０ａは、ユーザ端末装置１ａまたは１ｂから、ユーザ用一時格納部２３に格納されたコンテンツを購入する旨の購入要求とユーザ識別情報とを受け付けると、その購入要求とそのユーザ識別情報とを配信制御部２０ｈに出力する。
【００７０】
配信制御部２０ｈは、購入要求およびユーザ識別情報を受け付けると、その購入要求およびユーザ識別情報を課金部２０ｉに出力して、課金部２０ｉに、その購入要求を送信したユーザ端末装置のユーザに対する課金を行わせる。
【００７１】
具体的には、課金部２０ｉは、購入要求およびユーザ識別情報を受け付けると、そのユーザ識別情報にて識別されるユーザに対して、その購入要求にて要求されたコンテンツの購入費を課金する課金処理を行う。
【００７２】
課金部２０ｉは、課金処理が完了すると、課金完了通知を配信制御部２０ｈに出力し、一方、何らかの不都合により課金処理が完了しなかった場合（例えば、そのユーザに対するコンテンツの販売が禁止されている場合）には、課金中断通知を配信制御部２０ｈに出力する。
【００７３】
配信制御部２０ｈは、課金部２０ｉから課金完了通知を受け付けると、通信部２０ａから受け付けられたユーザ識別情報と関連づけてユーザ用一時格納部２３に格納されている音楽コンテンツを読み出す（図５参照）。
【００７４】
配信制御部２０ｈは、その読み出された音楽コンテンツと、通信部２０ａから受け付けられたユーザ識別情報とを、関連づけてユーザ用格納部２４に格納する。その後、配信制御部２０ｈは、その音楽コンテンツとそのユーザ識別情報のユーザ用格納部２４への格納が正常に終了したことを確認して格納動作を終了する。
【００７５】
図６は、ユーザ用格納部２４の一例を示した説明図である。
【００７６】
図６において、ユーザ用格納部２４は、ユーザ識別情報２４ａと、音楽コンテンツ２４ｂとを関連づけて格納する。
【００７７】
図１に戻って、一方、配信制御部２０ｈは、課金部２０ｉから課金中断通知を受け付けると、格納動作を中止する。
【００７８】
また、通信部２０ａは、ユーザ端末装置１ａまたは１ｂから、ユーザ用格納部２４に格納された音楽コンテンツに対するコンテンツ要求とユーザ識別情報とを受け付けると、その受け付けられたコンテンツ要求およびユーザ識別情報を配信制御部２０ｈに出力する。
【００７９】
配信制御部２０ｈは、コンテンツ要求およびユーザ識別情報を受け付けると、そのユーザ識別情報がユーザ情報データベース２１に格納されているか否かを判断する。
【００８０】
なお、配信制御部２０ｈは、このとき、コンテンツ要求およびユーザ識別情報を課金部２０ｉに出力しない。換言すると、配信制御部２０ｈは、通信部２０ａがユーザ用格納部２４に格納されたコンテンツに対するコンテンツ要求を受け付けた場合には、課金部２０ｉがそのコンテンツ要求に対する課金を行うことを禁止する。
【００８１】
配信制御部２０ｈは、そのユーザ識別情報がユーザ情報データベース２１に格納されていると、そのコンテンツ要求にて要求された音楽コンテンツが、そのユーザ識別情報に関連づけられてユーザ用格納部２４に格納されているか否か確認する。
【００８２】
配信制御部２０ｈは、そのコンテンツ要求にて要求された音楽コンテンツが、そのユーザ識別情報に関連づけられてユーザ用格納部２４に格納されていると、その要求された音楽コンテンツをユーザ用格納部２４から読み出す。
【００８３】
配信制御部２０ｈは、その読み出された音楽コンテンツを、通信部２０ａを介して、そのコンテンツ要求を送信したユーザ端末装置に配信する。
【００８４】
ユーザ端末装置は、その音楽コンテンツを受け付けると、その音楽コンテンツを再生する。このため、ユーザ端末装置は、多くのコンテンツを記憶するための記憶領域を有する必要がない。
【００８５】
また、ユーザ端末装置１ａおよび１ｂは、ユーザが希望する音楽コンテンツを音楽コンテンツデータベース２２から検索するための検索要求を、通信部２０ａに送信する。
【００８６】
通信部２０ａは、その検索要求を受け付けると、その受け付けられた検索要求を受付制御部２０ｂに出力する。
【００８７】
受付制御部２０ｂは、その検索要求を受け付けると、その検索要求に応じた音楽コンテンツを音楽コンテンツデータベース２２から探し出し、その探し出された音楽コンテンツを、通信部２０ａを介して、その検索要求を送信したユーザ端末装置に送信する。
【００８８】
次に、動作を説明する。
【００８９】
図７は、本コンテンツ配信システムの動作を説明するためのシーケンス図である。以下、図７を参照して本コンテンツ配信システムの動作を説明する。なお、以下の説明では、ユーザ端末装置１ａが、ユーザ情報３を音楽配信サーバ２０に送信するものとする。
【００９０】
ユーザがユーザ端末装置１ａにユーザ情報３（図２参照）を入力すると、ユーザ端末装置１ａは、ステップ１０１を実行する。
【００９１】
ステップ１０１では、ユーザ端末装置１ａは、その入力されたユーザ情報３を音楽配信サーバ２０に送信する。ユーザ端末装置１ａがユーザ情報３を音楽配信サーバ２０に送信すると、音楽配信サーバ２０はステップ１０２を実行する。
【００９２】
ステップ１０２では、音楽配信サーバ２０の通信部２０ａは、ユーザ端末装置１ａからユーザ情報３を受け付ける。通信部２０ａは、その受け付けられたユーザ情報３を、ユーザ情報３を送信したユーザ端末装置１ａのアドレスと関連づけて、受付制御部２０ｂに出力する。
【００９３】
受付制御部２０ｂは、通信部２０ａから、ユーザ情報３とユーザ端末装置１ａのアドレスとを受け付けると、その受け付けられたユーザ情報３およびユーザ端末装置１ａのアドレスを、ユーザ情報データベース２１に格納する（図３参照）。その後、ステップ１０３が実行される。
【００９４】
ステップ１０３では、入力部２０ｃまたは通信部２０ａが、新たに入荷された音楽コンテンツを受け付ける。その受け付けられた音楽コンテンツは、受付制御部２０ｂに出力される。
【００９５】
受付制御部２０ｂは、入力部２０ｃまたは通信部２０ａから音楽コンテンツを受け付けると、その受け付けられた音楽コンテンツを音楽コンテンツデータベース２２に格納する（図４参照）。
【００９６】
また、受付制御部２０ｂは、その受け付けられた音楽コンテンツが有するコンテンツ情報を、判断部２０ｄに出力する。判断部２０ｄは、受付制御部２０ｂからコンテンツ情報を受け付けると、ステップ１０４を実行する。
【００９７】
ステップ１０４では、判断部２０ｄは、その受け付けられたコンテンツ情報が、ユーザ情報データベース２１に格納されたコンテンツ選択条件（図２、３参照）に一致しているか否かを判断する。
【００９８】
判断部２０ｄは、その受け付けられたコンテンツ情報が、そのコンテンツ選択条件に一致しない場合には、動作を終了する。
【００９９】
一方、その受け付けられたコンテンツ情報がそのコンテンツ選択条件に一致している場合には、判断部２０ｄは、そのコンテンツ選択条件と関連づけられたユーザ識別情報を、ユーザ情報データベース２１から読み出し（図２、３参照）、さらに、そのコンテンツ情報を含む音楽コンテンツを、音楽コンテンツデータベース２２から読み出す。
【０１００】
判断部２０ｄは、その読み出されたユーザ識別情報および音楽コンテンツを格納制御部２０ｆに出力する。
【０１０１】
格納制御部２０ｆは、そのユーザ識別情報および音楽コンテンツを受け付けると、ステップ１０５を実行する。
【０１０２】
ステップ１０５では、格納制御部２０ｆは、時計部２０ｇから受付日時を取得し、その取得された受付日時とその受け付けられたユーザ識別情報および音楽コンテンツとを関連づけて、ユーザ用一時格納部２３に格納する（図５参照）。
【０１０３】
一方、判断部２０ｄは、その受け付けられた音楽コンテンツ（コンテンツ情報）がコンテンツ選択条件に合致していると判断すると、そのコンテンツ選択条件と関連づけられたユーザ端末装置１ａのアドレスを、ユーザ情報データベース２１から読み出す。判断部２０ｄは、その読み出されたユーザ端末装置１ａのアドレスを、そのコンテンツ情報とともに、通知部２０ｅに出力する。
【０１０４】
通知部２０ｅは、ユーザ端末装置１ａのアドレスおよびコンテンツ情報を受け付けると、ステップ１０６を実行する。
【０１０５】
ステップ１０６では、通知部２０ｅは、そのコンテンツ情報と、そのコンテンツ情報を含むコンテンツの入荷通知と、そのコンテンツ選択条件と、そのコンテンツの試聴期間と、を示すコンテンツ入荷通知を生成する。通知部２０ｅは、その生成されたコンテンツ入荷通知を、その受け付けられたアドレスを有するユーザ端末装置１ａに送信する。
【０１０６】
ユーザ端末装置１ａは、その通知情報を受け付けると、そのコンテンツ入荷通知に示された、そのコンテンツ情報と、そのコンテンツ情報を含むコンテンツの入荷通知と、そのコンテンツ選択条件と、そのコンテンツの試聴期間とを表示する。
【０１０７】
ユーザは、その表示を見て、その音楽コンテンツを試聴しようと判断すると、ユーザ端末装置１ａに、その音楽コンテンツに対する試聴要求とユーザ識別情報とを入力する。
【０１０８】
ユーザ端末装置１ａは、その試聴要求とそのユーザ識別情報とを受け付けると、ステップ１０７を実行する。
【０１０９】
ステップ１０７では、ユーザ端末装置１ａは、その受け付けられた試聴要求とそのユーザ識別情報とを、音楽配信サーバ２０に送信する。音楽配信サーバ２０の通信部２０ａは、その試聴要求とそのユーザ識別情報とを受け付けると、その試聴要求とそのユーザ識別情報とを配信制御部２０ｈに出力する。配信制御部２０ｈは、その試聴要求とそのユーザ識別情報とを受け付けると、ステップ１０８を実行する。
【０１１０】
ステップ１０８では、配信制御部２０ｈは、そのユーザ識別情報がユーザ情報データベース２１に格納されているか否かを判断する。換言すると、配信制御部２０ｈは、ユーザ識別情報を用いて、ユーザを認証するか否かを判断する。
【０１１１】
配信制御部２０ｈは、そのユーザ識別情報がユーザ情報データベース２１に格納されていないと、ユーザを認証せずに、動作を終了する。
【０１１２】
一方、配信制御部２０ｈは、そのユーザ識別情報がユーザ情報データベース２１に格納されていると、ステップ１０９を実行する。
【０１１３】
ステップ１０９では、配信制御部２０ｈは、その試聴要求にて要求された音楽コンテンツの一部分をユーザ用一時格納部２３から読み出す。配信制御部２０ｈは、その読み出された音楽コンテンツの一部分を、試聴版として、通信部２０ａを介して、その試聴要求を送信したユーザ端末装置１ａに配信する。
【０１１４】
ユーザ端末装置１ａは、その試聴版を受け付けると、ステップ１１０を実行する。
【０１１５】
ステップ１１０では、ユーザ端末装置１ａは、その試聴版を再生する。ユーザ端末装置１ａのユーザは、その再生された試聴版を試聴する。ユーザは、その試聴版を試聴すると、その音楽コンテンツを購入するか否かを判断する。
【０１１６】
ユーザは、その音楽コンテンツを購入しないと判断すると、ユーザ端末装置１ａに、ユーザ用一時格納部２３に格納されたコンテンツを購入する旨の購入要求と、ユーザ識別情報とを、入力しない。その後、一定時間が経過すると、ユーザ端末装置１ａは動作を終了する。なお、ユーザ用一時格納部２３に格納されたコンテンツは、試聴期間が経過すると、格納制御部２０ｆによって、ユーザ用一時格納部２３から削除される。
【０１１７】
一方、ユーザは、その音楽コンテンツを購入することを判断すると、ユーザ端末装置１ａに、その購入要求とユーザ識別情報とを入力する。ユーザがユーザ端末装置１ａにその購入要求とユーザ識別情報とを入力すると、ユーザ端末装置１ａは、ステップ１１１を実行する。
【０１１８】
ステップ１１１では、ユーザ端末装置１ａは、その購入要求とそのユーザ識別情報とを受け付け、ユーザがその音楽コンテンツの購入を希望していると判断する。ユーザ端末装置１ａは、その購入要求とそのユーザ識別情報とを受け付けると、ステップ１１２を実行する。
【０１１９】
ステップ１１２では、ユーザ端末装置１ａは、その受け付けられた購入要求およびユーザ識別情報を、音楽配信サーバ２０に送信する。
【０１２０】
音楽配信サーバ２０の通信部２０ａは、ユーザ端末装置１ａから、その購入要求とそのユーザ識別情報とを受け付けると、その購入要求とそのユーザ識別情報とを配信制御部２０ｈに出力する。
【０１２１】
配信制御部２０ｈは、購入要求およびユーザ識別情報を受け付けると、その購入要求およびユーザ識別情報を課金部２０ｉに出力する。課金部２０ｉは、その購入要求およびユーザ識別情報を受け付けると、ステップ１１３を実行する。
【０１２２】
ステップ１１３では、課金部２０ｉは、そのユーザ識別情報にて識別されるユーザに対してその購入要求にて要求されたコンテンツの購入費を課金する課金処理を行う。課金部２０ｉは、その課金処理によって決済を実行する。続いて、課金部２０ｉは、ステップ１１４を実行する。
【０１２３】
ステップ１１４では、課金部２０ｉは、課金処理（決済）が完了したか否かを判断する。課金部２０ｉは、課金処理が完了すると、課金完了通知を配信制御部２０ｈに出力し、一方、何らかの不都合により課金処理が完了しなかった場合には、課金中断通知を、配信制御部２０ｈに出力する。
【０１２４】
配信制御部２０ｈは、課金部２０ｉから課金完了通知を受け付けると、ステップ１１５を実行する。
【０１２５】
ステップ１１５では、配信制御部２０ｈは、そのユーザ識別情報と関連づけてユーザ用一時格納部２３に格納されている音楽コンテンツを読み出す（図５参照）。その後、配信制御部２０ｈは、その読み出された音楽コンテンツと、そのユーザ識別情報とを、関連づけてユーザ用格納部２４に格納する。その後、配信制御部２０ｈは、ステップ１１６を実行する。
【０１２６】
ステップ１１６では、配信制御部２０ｈは、その音楽コンテンツとそのユーザ識別情報のユーザ用格納部２４への格納が正常に終了したことを確認して格納動作を終了する。
【０１２７】
一方、配信制御部２０ｈは、課金部２０ｉから課金中断通知を受け付けると、課金中断通知を受け付けると、格納動作を中止する。
【０１２８】
なお、ユーザ用一時格納部２３に格納されたコンテンツは、試聴期間が経過すると、格納制御部２０ｆによって、ユーザ用一時格納部２３から削除される。
【０１２９】
具体的には、格納制御部２０ｆは、時計部２０ｇにて示された現在日時が、ユーザ用一時格納部２３に格納された受付日時に音楽コンテンツの試聴期間（例えば、１週間）を加えた日時を過ぎているか否かを判断する。
【０１３０】
格納制御部２０ｆは、時計部２０ｇにて示された現在日時が、ユーザ用一時格納部２３に格納された受付日時に音楽コンテンツの試聴期間を加えた日時を過ぎていると、その音楽コンテンツの試聴期間が終わったと判断する。
【０１３１】
格納制御部２０ｆは、その音楽コンテンツの試聴期間が終わったと判断すると、その音楽コンテンツと、その音楽コンテンツと関連づけられていたユーザ識別情報および受付日時とをユーザ用一時格納部２３から削除する。
【０１３２】
本実施例によれば、新たに受け付けられたコンテンツがコンテンツ選択条件に合致していると、通知部２０ｅは、コンテンツ選択条件に合致したコンテンツが入荷された旨の通知を、ユーザ端末装置１ａに送信する。
【０１３３】
このため、ユーザは、ユーザが希望するコンテンツが入荷されたか確認できない状況下で、同じ内容の検索要求をユーザ端末装置から何度も送信する必要がなくなる。よって、ユーザは、試聴と購入の判断だけの少ない手順で希望する音楽コンテンツを購入することが可能になる。したがって、ユーザの不便さを少なくすることが可能になり、その結果、ユーザからのコンテンツ要求を促進することが可能になる。
【０１３４】
また、ユーザは、コンテンツ選択条件に合致したすべてのコンテンツを購入しなくても、コンテンツ選択条件に合致したコンテンツの入荷を確認することが可能になる。
【０１３５】
また、本実施例では、受け付けられたコンテンツがコンテンツ選択条件に合致していると、ユーザ用一時格納部２３は、その受け付けられたコンテンツを所定の時間格納し、また、配信制御部２０ｈは、入荷の通知が行われたコンテンツに対する試聴要求をユーザ端末装置から受け付けると、ユーザ用一時格納部２３に格納されたコンテンツの一部分を、ユーザ端末装置１ａに配信する。
【０１３６】
この場合、ユーザは、ユーザ端末装置１ａから検索要求を送信することなく、コンテンツを試聴することが可能になる。このため、コンテンツの検索時間を短縮することが可能になる。また、入荷されたコンテンツは、一定期間、試聴可能となるため、ユーザは、コンテンツを試聴した後で、そのコンテンツを購入するか否かを判断することが可能になる。
【０１３７】
また、本実施例では、ユーザ用一時格納部２３に格納されたコンテンツを購入する旨の購入要求がユーザ端末装置１ａから受け付けられると、ユーザ用格納部２４は、ユーザ用一時格納部２３に格納されていたそのコンテンツを格納する。また、ユーザ用格納部２４に格納されたコンテンツに対するコンテンツ要求が、ユーザ端末装置１ａのユーザにて使用される端末装置から受け付けられると、配信制御部２０ｈは、ユーザ用格納部２４に格納されたコンテンツを、その端末装置に配信する。
【０１３８】
この場合、ユーザにて購入されたコンテンツは、コンテンツ配信装置のユーザ用格納部２４に格納される。このため、ユーザの端末装置（例えば、ポータブルオーディオ、自宅のコンポ、または、カーオーディオ）が、例えばネットワーク経由で、コンテンツ配信装置２と接続できれば、ユーザは、その端末装置を用いることで、在宅時または外出時、車での移動時などいつでも、購入されたコンテンツを視聴することが可能になる。換言すると、ユーザは、自らが購入したコンテンツをユーザが有する複数の端末装置で、手軽に再生することが可能になる。
【０１３９】
また、ユーザにて購入されたコンテンツは、ユーザ用格納部２４に格納されるので、端末装置は、その購入されたコンテンツを保存しなくてもよい。このため、コンテンツの購入数が増加していく場合でも、ユーザは、端末装置の残りの保存領域を心配することなくコンテンツを購入することが可能となる。
【０１４０】
また、本実施例では、購入要求が受け付けられると、課金部２０ｉは、その購入要求を送信したユーザ端末装置のユーザに対する課金を行い、また、ユーザ用格納部２４に格納されたコンテンツに対するコンテンツ要求が受け付けられた場合には、配信制御部２０ｈは、課金部２０ｉがそのコンテンツ要求に対する課金を行うことを禁止する。
【０１４１】
この場合、ユーザは、購入済みのコンテンツを、端末装置で何度も無料で受け取ることが可能になる。このため、ユーザは、一度コンテンツを購入すると、その後、料金を気にせずに、複数の端末装置で購入済みのコンテンツを再生することが可能になる。
【０１４２】
以上説明した実施例において、図示した構成は単なる一例であって、本発明はその構成に限定されるものではない。
【０１４３】
例えば、上記実施例では、コンテンツとして音楽コンテンツが用いられたが、コンテンツは音楽コンテンツに限らず適宜変更可能である。例えば、コンテンツとして、映画コンテンツが用いられてもよい。
【０１４４】
また、コンテンツの入荷の情報が、例えば、テレビまたは新聞に発表されないような特殊なコンテンツ（例えば、特定のマニア向けのコンテンツ）が、コンテンツとして、用いられてもよい。この場合、通知部２０ｅから通知される情報は、その特殊なコンテンツを好むユーザにとって非常に重要な情報となる。
【図面の簡単な説明】
【０１４５】
【図１】本発明の一実施例のコンテンツ配信システムを示すブロック図である。
【図２】ユーザ情報の一例を示した説明図である。
【図３】ユーザ情報データベースの一例を示した説明図である。
【図４】音楽コンテンツデータベースの一例を示した説明図である。
【図５】ユーザ用一時格納部の一例を示した説明図である。
【図６】ユーザ用格納部の一例を示した説明図である。
【図７】本コンテンツ配信システムの動作を説明するためのフローチャートである。
【符号の説明】
【０１４６】
１ａ    ユーザ端末装置
１ｂ    ユーザ端末装置
２      コンテンツ配信装置
２０    音楽配信サーバ
２０ａ  通信部
２０ｂ  受付制御部
２０ｃ  入力部
２０ｄ  判断部
２０ｅ  通知部
２０ｆ  格納制御部
２０ｇ  時計部
２０ｈ  配信制御部
２０ｉ  課金部
１００      ネットワーク
【図１】
2006301865.tif 000003
【図２】
2006301865.tif 000004
【図３】
2006301865.tif 000005
【図４】
2006301865.tif 000006
【図５】
2006301865.tif 000007
【図６】
2006301865.tif 000008
【図７】
2006301865.tif 000009